(57)【特許請求の範囲】
【請求項１】
遊技機本体の前面下側に取り付けられた球受皿と、
同球受皿の横にて前記遊技機本体の前面側に対して垂直方向の軸周りに回動可能に支持され、一面側に灰皿を設けると共に反対面側に保持台を設けた台部材と、
前記台部材の灰皿の開口部に設けられ、同開口部を開閉するとともに閉状態で固定可能な蓋体と、
同台部材を前記灰皿及び保持台が使用可能な状態の位置にて前記遊技機本体に解除可能に固定する固定手段と、を有し、
前記固定手段は、
磁石及び吸着板の内の一方からなり、前記台部材に回転軸を挟んで配置された第１固定手段と、
磁石及び吸着板の内の他方からなり、前記第１固定手段と吸着することにより前記灰皿を前記台座部の回転軸に対して上下逆の位置でそれぞれ固定可能となるように前記遊技機本体に配置された第２固定手段と、
を備えることを特徴とする弾球遊技機。
【発明の詳細な説明】
【０００１】
【発明の属する技術分野】
本発明は、弾球遊技機に係り、特にその改良に関する。
【０００２】
【従来の技術及び発明が解決使用とする課題】
従来、例えばパチンコ遊技機の球受皿基盤１は、図１１に示すように、通常、遊技機本体の前面下部に取り付けられており、横長の基盤２の中央に遊技球を回収する球受皿３を設けており、球受皿３の左側には灰皿４が設置され、右端には操作ハンドル５が設置されている。また、例えば実開平６−９６９０号公報に示すように、灰皿にたばこ置台を並設したものも知られている。
【０００３】
ところで、パチンコ遊技の最中に缶入り飲料や紙コップ入り飲料を飲もうとする場合には、これら缶や紙コップ等の飲料容器の置き場所として、遊技機前面下の台に置かなければならないが、台の位置は、遊技盤からみて下側過ぎるため、遊技中にうっかり容器を倒して飲料をこぼしてしまうような不都合が生じ易いという問題がある。これに対し、実開平２−１２４８２８号公報に示されているように、缶等を支持するホルダーを、取付部によって遊技機の枠等に取り付ける紙コップ又は缶支持用ホルダーが知られている。しかし、この紙コップ又は缶支持用ホルダーは、上記灰皿と異なり、単品で遊技機から突出しているため、特に非使用時には、目障りであると共に邪魔になるという問題がある。さらに、このホルダーは、遊技機への取り付けの手間も煩雑である。
【０００４】
一方、遊技人口の多様化により、遊技場の形態も多様になってきており、特に健康問題も含めて全面的禁煙ないし一部禁煙とした遊技場も出現するようになっている。これに対し、従来のパチンコ遊技機に設けられている球受皿基盤は、灰皿のみを備えるもので、非喫煙者に対する考慮がなされておらず、上記飲料容器の載置等のサービスについても考慮されていなかった。また、喫煙を対象とする場合であっても、遊技場によっては、遊技機を設置する台に灰皿専用設備を設けたものもあり、球受皿基盤に灰皿を設ける必要がない場合も増えている。本発明は、上記した問題を解決しようとするもので、缶入り飲料や紙コップ等の飲料容器を載置可能とした弾球遊技機を提供することを目的とする。
【０００５】
【課題を解決するための手段及び発明の効果】
上記目的を達成するために上記請求項１に係る発明の構成上の特徴は、遊技機本体の前面下側に取り付けられた球受皿と、同球受皿の横にて前記遊技機本体の前面側に対して垂直方向の軸周りに回動可能に支持され、一面側に灰皿を設けると共に反対面側に保持台を設けた台部材と、前記台部材の灰皿の開口部に設けられ、同開口部を開閉するとともに閉状態で固定可能な蓋体と、同台部材を前記灰皿及び保持台が使用可能な状態の位置にて前記遊技機本体に解除可能に固定する固定手段と、を有し、前記固定手段は、磁石及び吸着板の内の一方からなり、前記台部材に回転軸を挟んで配置された第１固定手段と、磁石及び吸着板の内の他方からなり、前記第１固定手段と吸着することにより前記灰皿を前記台座部の回転軸に対して上下逆の位置でそれぞれ固定可能となるように前記遊技機本体に配置された第２固定手段と、を備えることにある。
【０００６】
上記のように請求項１に係る発明を構成したことにより、台部材を灰皿として使用したい場合と、飲料を収容した紙コップ等の飲料容器等を載置するために使用したい場合に応じて、基盤に支持された台部材を回動させ、固定手段により灰皿または保持台の内の所望の部分を使用可能な位置で遊技機本体の前面側に固定することにより簡単に利用することができる。また、固定手段による台部材の固定は解除可能にされているので、他方への切り替えも簡単に行うことができる。そして、台部材を保持台として使用しようとする場合、保持台は、遊技機本体の前面上側の遊技盤面の近くに設けられており、遊技中の遊技者の視野に入りやすいので、遊技中にうっかりして飲料容器を転倒させて飲料をこぼしてしまうような不都合の発生を有効に防止することができる。その結果、請求項１の発明によれば、台部材を灰皿と保持台の２通りに有効に活用することができる。そのため、この球受皿基盤を、喫煙許可の遊技場と、全面的または一部禁煙の遊技場の何れに設置する弾球遊技機に対しても適用することができ便利である。また、保持台を小物等の載置用としても利用でき便利である。
【０００７】
また、台部材を遊技機本体の前面に対して直角方向の軸周りに回動させることにより、灰皿または保持台に容易に切り替えることができる。
【０００８】
【０００９】
また、簡単に台部材を遊技機本体に固定または固定を解除できる固定手段が得られ、台部材の回動切り替えを簡単に行うことができる。
【００１０】
【００１１】
【００１２】
また、上記のように請求項１に係る発明を構成したことにより、灰皿にタバコの吸殻等が貯った状態で保持台側を利用したいような場合に、灰皿の開口部を蓋体で閉じ、その後、台部材を回動させることにより保持台として利用することができる。このとき、開口部が蓋体により閉じられており灰皿内の吸殻等が飛散することがないので、遊技機の周囲を汚すことがなく、非常に便利である。そして、再び灰皿を利用するときには、台部材を回動させ、開口部を開放させることにより、簡単に灰皿を利用することができる。また、蓋体を被せた状態の灰皿を小物等を置く台としても利用できる。
【００１３】
【００１４】
【００１５】
【発明の実施の形態】
以下、本発明の一実施の形態を図面を用いて説明すると、図１及び図２は、同実施形態に係るパチンコ遊技機を正面図及び左側面図により示したものである。本体１０は、縦長の長方形の枠形状であり、後外周側及び下端部を構成する外枠１１と、下端部を除く前面側を構成する前面枠２０とを有している。外枠１１は、図１に示すように、左側の上下端に設けたヒンジ部１１ａ，１１ｂによって前面枠２０を回動可能に支持しており、前面枠２０の前面と外枠１１の下端部の前面は面一になっている。前面枠２０は、図１に示すように、枠本体２１を設けており、枠本体２１の下端側には、球受皿（以下、下皿と記す）３２、発射ハンドル等を備えた球受皿基盤（以下、下皿基盤と記す）３０が固定されている。
【００１６】
そして、下皿基盤３０上の枠本体２１の前面開口部２１ａの下側を除く周囲には金属枠２１ｂが取り付けられており、開口部上側にガラス枠２２、下側には賞球受皿基盤（以下、上皿基盤と記す）２３が金属枠２１ｂの左側部により枠本体２１に回動可能に支持され、前面開口部２１ａを閉鎖した状態で設けられている。ガラス枠２２の後方の枠本体２１の内周には、遊技盤２４が固定されている。上皿基盤２３には、左端に設けた賞球払出口２３ｂから供給される賞品球を収容保持すると共に右下の遊技球発射口（図示しない）に遊技球を供給する賞球受皿（以下、上皿と記す）２３ａが全面に突出して設けられている。上皿２３ａの右端近傍位置には、収容された遊技球を遊技球落下通路（図示しない）を通して後述する下皿３２に落下させる球抜きスイッチ２３ｃが取り付けられている。前面枠２０の上部から右側部にかけては枠飾り２１ｃが貼り付けられている。
【００１７】
本体１０の裏面側には、図２に示すように、樹脂製のセンターカバー２５、メイン基板２６、賞品球タンク２７ａ、タンクレール２７ｂ、賞球基板２８、遊技球発射装置２９、及び図示しない賞品球通路、賞品球ケース、入賞球集合樋等が設けられている。
【００１８】
下皿基盤３０は、図１に示すように、横長の基盤３１の中央位置に前方に突出した下皿３２を設けている。下皿３２は、上皿２３ａに貯留された遊技球を球抜きスイッチ２３ｃを操作することにより遊技球落下通路（図示しない）を通して回収貯留するものである。下皿３２の右側には、発射ハンドル３３が設けられている。そして、下皿３２の右側には、樹脂製の台部材４０が基盤３１に回動可能に取り付けられている。
【００１９】
台部材４０は、図３及び図４に示すように、台本体４１と支持軸４２とを設けている。台本体４１は、略台形状の互いに平行な前面板４１ａと後面板４１ｂを設けている。前面板４１ａは、略四角形状で、互いに平行な長辺４１ａ1 及び短辺４１ａ2 と、長辺４１ａ1 及び短辺４１ａ2 の両端をつなぐ両側辺４１ａ3 ，４１ａ4 を有している。両側辺４１ａ3 ，４１ａ4 は中間位置で曲がり部４１ａ5 を設けている。後面板４１ｂは、前面板４１ａと同一形状部分の上側に円弧形部４１ｂ1 を設けている。両側板４１ｃ、４１ｄは、前面板４１ａと後面板４１ｂの左右側辺に沿って取り付けられ、途中で曲げ部４１ｃ1 ，４１ｄ1 を設けた折り曲げ板になっている。
【００２０】
そして、台部材４０の内部の曲げ部４１ｃ1 ，４１ｄ1 位置には、図４及び図５に示すように、周壁に略垂直に取り付けられた仕切り板４１ｅが設けられており、仕切り板４１ｅを挟んで長辺４１ａ1 側が、紙コップや飲料缶等の飲料容器Ｃを載置できる保持台５１になっており、仕切り板を挟んだ短辺４１ａ2 側が、灰皿５２になっている。後面板４１ｂの背面側中央には、円柱形の支持軸４２が板面に垂直に取り付けられている。また、後面板４１ｂの背面側には、支持軸４２を挟んだ等距離の円弧形部４１ｂ1 の外端近傍位置及び長辺近傍位置には、小円形の吸着鉄板４３ａ，４３ｂが埋め込まれている。なお、台部材４０は、通常、樹脂成形により一体で形成される。
【００２１】
基盤３１の下皿３２の左側には、図５に示すように、盤面に垂直に貫通する取付孔３１ａが設けられており、また、基盤３１表面側には、取付孔３１ａの上下位置に、一対の板磁石３１ｂ、３１ｃが取り付けられている。そして、台部材４０の支持軸４２を取付孔３１ａに挿入し、基盤３１後ろ側から止め板３１ｄをねじ止めして取り付けることにより、台部材４０が基盤３１に回動可能に支持される。そして、台部材４０を回動させ、後面板４１ｂに設けた吸着鉄板４３ａが、上側の板磁石３１ｂに吸着される位置が、図６に示すように、灰皿５２の使用位置になっている。また、吸着鉄板４３ｂが上側の板磁石３１ｂに吸着される位置が、図７に示すように、保持台５１の使用位置になっている。なお、板磁石３１ｂ，３１ｃと吸着鉄板４３ａ，４３ｂを取り替えて使用してもよい。
【００２２】
以上に説明したように、本実施形態によれば、遊技中に缶入り飲料や紙コップ入り飲料を飲もうとする場合には、台部材４０を回動して保持台５１の使用位置とすることにより、保持台５１を飲料容器Ｃの置き場所として利用することができる。この保持台５１は、遊技盤面の近くに設けられており、遊技中の遊技者の視野に入りやすいので、遊技中にうっかりして飲料容器Ｃを転倒させ飲料をこぼしてしまうような不都合の発生を有効に防止することができる。また、台部材４０を灰皿５２として使用したい場合には、台部材４０を回動させることにより、簡単に灰皿５２使用位置に切り替えることができる。
【００２３】
従って、下皿基盤３０に設けた台部材４０は、灰皿５２と保持台５１の２通りに有効に活用することができ非常に便利である。特に、台部材４０は、喫煙許可の遊技場と、全面的または一部禁煙の遊技場の何れに設置するパチンコ遊技機に対しても適用することができ便利である。また、台部材４０は、遊技機を設置する台に灰皿専用設備を設けている遊技場に設置するパチンコ遊技機に設けるにも好適である。
【００２４】
つぎに、上記実施形態の変形例１について説明する。上記実施形態においては、台部材４０の基盤３１への解除可能な固定については、板磁石３１ｂ，３１ｃと吸着鉄板４３ａ，４３ｂとの組合せにより行っているが、変形例１は、基盤３１に球面状の係合凸部または係合凹部を設け、これに係止される球面状の凹部または凸部を台部材４０に設けるようにした。このように構成することによっても、台部材４０を基盤３１に解除可能に固定することができる。また、上記実施形態より構成がわずかに複雑になるが、基盤３１の裏面側にて、基盤３１と支持軸４２とに解除可能な固定手段を設けることもできる。さらに、基盤３１の取付孔３１ａと支持軸４２との間に解除可能な固定手段を設けることもできる。
【００２５】
つぎに、第２の実施形態について説明する。上記第２の実施形態においては、台部材６０は、図８に示すように、第１の実施形態で示した台部材４０の円弧形部４１ｂ1 を削除したものである。さらに、両側板６１ｃ，６１ｄの上下中間位置にて水平に延びた回転軸６２ａ，６２ｂを設けている。また、前後面板６１ａ，６１ｂ（６１ｂは図示しない）の長辺側近傍位置に固定用磁石６１ａ1 ，６１ｂ1 （６１ｂ1 は図示しない）を埋設している。そして、基盤３１の下皿３２の左側には、台部材６０の横幅よりわずかに広い間隔で板状の一対の支持部材６３，６４が、基盤３１面に垂直に前方に突出して設けられている。支持部材６３，６４には、台部材６０の回転軸６２ａ，６２ｂが回動可能に支持されている。また、台部材６０の背面の基盤３１には、支持用磁石（図示しない）が設けられており、台部材６０の固定用磁石６１ａ1 ，６１ｂ1 に吸着結合することにより、台部材６０を、それぞれ保持台７１用、灰皿７２用として使用可能なようにしている。その結果、第２の実施形態においても、上記第１の実施形態形態で示したと同様の効果が得られる。
【００２６】
つぎに、第３の実施形態について説明する。第３の実施形態においては、台部材４０は、図９に示すように、灰皿５２側の開口部５２ａに、開口部５２ａを開閉する蓋体５３を設けている。蓋体５３は、図９（ａ）に示すように、開口部５２ａの一端側で台部材４０に回動自在に取り付けられ、他図９（ｂ）に示すように、開口部５２ａの他端側で台部材４０に取り外し可能に固定されている。蓋体５３の台部材４０への固定は、両者に係止凸部及び係止凹部を設けて行うことができ、また両者に磁石と鉄片を設けて行ってもよく、その他の簡易な固定手段を用いて行うこともできる。
【００２７】
以上のように構成した第３の実施形態においては、台部材４０の灰皿５２にタバコの吸殻等が貯った状態で保持台５１側を利用したいような場合に、灰皿５２の開口部５２ａを蓋体５３で閉じ、その後、台部材４０を回動させることにより台部材４０を保持台５１として利用することができ、飲料缶等の載置に好適に利用することができる。このとき、灰皿５２が蓋体５３により閉鎖されており、灰皿５２内の吸殻等が飛散することがないので、遊技機の周囲を汚すことがなく、非常に便利である。そして、再び灰皿５２を利用するときには、台部材４０を回動させ、開口部５２ａを開放させることにより、簡単に灰皿５２を利用することができる。また、蓋体５３を被せた状態の灰皿５２を小物等を置く台としても利用することができる。蓋体５３については、上記第２の実施形態に示した台部材６０に対しても同様に適用することができる。
【００２８】
つぎに、第４の実施形態について説明する。上記第１及び第２の実施形態においては、台部材４０を灰皿５２用と、保持台５１用の２通りの使用が可能になっているが、第３の実施形態においては、図１０に示すように、台部材８０を基盤３１に固定して設け、保持台専用としたものである。これにより、台部材８０は、灰皿としての使用はできなくなるが、全面的または一部禁煙の遊技場の何れに設置するパチンコ遊技機に対しても適用することができ便利である。また、この下皿基盤３０は、遊技機を設置する台に灰皿専用設備を設けている遊技場に設置するパチンコ遊技機に設けるのに好適である。さらに、本実施形態によれば、台部材８０の構成が簡易になり、下皿基盤を安価にすることができる。
【００２９】
なお、上記各実施形態においては、保持台を飲料缶等の飲料容器を載置する場合に利用している例を示しているが、その他、マッチ、キー等の小物を載置するのに用いることもでき便利である。また、上記各実施形態に示した、遊技機の球受皿基盤の各部材の形状等については、目的用途等に応じて適宜変更して実施することができる。また、球受皿基盤が遊技機本体に一体で形成されている場合にも、本発明を適用できる。さらに、上記実施形態において、本発明をパチンコ遊技機の下皿基盤に適用した場合について説明しているが、その他アレンジ遊技機等の弾球遊技機に対しても同様に適用することができる。
【図面の簡単な説明】
【図１】本発明の第１の実施形態に係るパチンコ遊技機を概略的に示す正面図である。
【図２】同パチンコ遊技機の左側面図である。
【図３】同遊技機の球受皿基盤に設けた台部材を概略的に示す拡大斜視図、左側面図及び背面図である。
【図４】保持台として使用される部材台を概略的に示す拡大斜視図である。
【図５】球受皿基盤と台部材との関係を示す拡大断面図である。
【図６】球受皿基盤に設けた台部材を灰皿として使用する態様を示した正面図である。
【図７】球受皿基盤に設けた台部材を保持台として使用する態様を示した正面図である。
【図８】第２の実施形態である球受皿基盤に示した正面図である。
【図９】第３の実施形態である台部材の灰皿に蓋体を設けた場合の、蓋体を開放した状態と閉鎖した状態を示した斜視図である。
【図１０】第４の実施形態である球受皿基盤に示した正面図である。
【図１１】従来例であるパチンコ遊技機を概略的に示す正面図である。
【符号の説明】
１０…本体、１１…外枠、２０…前面枠、２１…枠本体、２１ａ…前面開口部、２１ｂ…金属枠、２２…ガラス枠、２３…賞球受皿基盤（上皿基盤）、２３ａ…賞球受皿（上皿）、２４…遊技盤、３０…球受皿基盤（下皿基盤）、３１…基盤、３１ａ…取付孔、３１ｂ，３１ｃ…板磁石、３２…球受皿（下皿）、３３…発射ハンドル、４０…台部材、４１…台本体、４１ａ…前面板、４１ｂ…後面板、４１ｃ，４１ｄ…側板、４１ｅ…仕切り板、４２…支持軸、４３ａ，４３ｂ…吸着鉄板、５１…保持台、５２…灰皿、５３…蓋体、６０…台部材、６１…台本体、６１ａ…前面板、６１ａ1 …固定用磁石、６１ｃ，６１ｄ…側板、６２ａ，６２ｂ…回転軸、６３，６４…支持部材、７１…保持台、７２…灰皿、８０…台部材、Ｃ…飲料容器。
【図１】
0004000398.tif 000002
【図２】
0004000398.tif 000003
【図３】
0004000398.tif 000004
【図４】
0004000398.tif 000005
【図５】
0004000398.tif 000006
【図６】
0004000398.tif 000007
【図７】
0004000398.tif 000008
【図８】
0004000398.tif 000009
【図９】
0004000398.tif 000010
【図１０】
0004000398.tif 000011
【図１１】
0004000398.tif 000012